(57)【要約】【課題】簡易小便器をどのような場所にでも設置することができ、小便受部の高さを自在に調整することができ、小便をする人の前面要所を外部から隠すことができる簡易小便器を提供する。【解決手段】小便を受ける前面開放形の小便受部と、小便受部に排出された小便を留める排尿タンクと、小便受部の底面に設けられ排尿タンクと連結する、排尿タンクの約半分の高さまで届く排尿パイプとを備え、排尿パイプは小便受部上部に設けられた取手を回すことにより、小便受部が排尿タンクに対して取付方向並びに取付高さが調整可能な、上から下までのネジを有した構成からなる。【選択図】図1
2016202782.tif 000002
【特許請求の範囲】
【請求項１】
小便を受ける前面開放形の小便受部と、前記小便受部に排出された小便を留める排尿タンクと、前記小便受部の底面に設けられ前記排尿タンクと連結する、前記排尿タンクの約半分の高さまで届く排尿パイプとを備え、前記排尿パイプは前記小便受部上部に設けられた取手を回すことにより、前記小便受部が前記排尿タンクに対して取付方向並びに取付高さが調整可能な、上から下までのネジを有したことを特徴とする簡易小便器。
【請求項２】
前記排尿タンクの中の尿を排出しやすくするための着脱自在の前記排出用ノズルが前記排尿タンクに取り付けたままでも使用する事ができる事を特徴とする請求項１に記載の簡易小便器。
【発明の詳細な説明】
【技術分野】
【０００１】
本発明は、期間の短い、工事現場や避難場所に置いて使用する簡易小便器に関する。
【背景技術】
【０００２】
従来の簡易小便器は、灯油を入れるポリタンクの口に漏斗のような形をした物を差し込み、それに小便をして、タンクに流し込んでいたが、アンモニアの臭いがきつい事や、雨水がタンクに流れ込むなどの問題があった。
【先行技術文献】
【特許文献】
【０００３】
最近販売されたスポットトイレがあるが、検索したが、先行技術を見つける事ができなかった。
【発明の概要】
【発明が解決しようとする課題】
【０００４】
しかしながら、最近販売されているスポットトイレでは、小便受けに蓋がないため、雨がふればタンク内に雨水が入る問題がり、又、臭いも完全に防ぐことはできない。
又、今までの簡易小便器は、強い風が吹けば、倒れて小便がこぼれるおそれがあった。
又、簡易小便器を所定の場所に固定して使用するが、周囲の都合により、簡易小便器の向きを、変えなければならない事があるが、タンクに小便が多く溜っていれば容易ではなかった。
【０００５】
又、身長の異なる人が簡易小便器を使用する際に不便であり、使用者の要所が周りから見られる可能性があった。
本発明の目的は、臭い、雨水、風に対応できる、身長差に関係なく要所をまわりから隠すことのできる簡易小便器を提供する。
【課題を解決するための手段】
【０００６】
前記目的を達成するために、本発明の簡易小便器は、土台４、排尿タンク３、小便受部２の３体から形成されている。
【０００７】
前記土台４には、枠２１が設けられ、その枠２１内に排尿タンク３が差し込まれている。そのタンク３の上部には、ねじ込み式の差し込み口１６が設けられ、その差し込み口１６に小便受部２の底面にあるネジ式排尿パイプ１３をねじ込んで固定するように構成されている。
【０００８】
前記簡易小便器１に小便をするときは、小便受部２の前面にある観音開き式開閉ドアー７を左右に開け、その小便受部２に小便をすれば、小便受部２の底面にある流出口１１から開閉弁１２を介して排尿タンク３内に流れ込むように構成されている。
【０００９】
前記小便受部２の臭いと雨水の対策として、該小便受部２を密閉箱型にし、その前面には観音開き式の開閉ドアー７を付け、ドアー裏側の外周部分の上下の隅にはマグネット８が取り付けられている。マグネット受９は、小便受部２の対応する上下位置に取り付けてある。又、排尿タンク３から上がってくる臭いを防止するため、小便が流れた後は、開閉弁１２が閉まるように構成されている。
【００１０】
前記小便受部２の流出口１１にあるネジ式排尿パイプ１３は、小便受部２の上部に設けられた取手１０Ａを捻ることによって小便受部２の高さを自在に調整することができる。
前記小便受部２の前面に設けている観音開き式の開閉ドアー７は、110度〜120度の角度に開いた状態で止まるように構成されている。これにより、小便をするときは、開閉ドアー７を110度〜120度の角度に開いた状態で小便をする事により、小便をする人の腰回りが隠されるようになっている。
【発明の効果】
【００１１】
上述したように簡易小便器は、開閉ドアーを設けているため、雨が降っても排尿タンク３に雨水が入る事がなくなった。
【００１２】
又、強い風が吹いても、土台４に差し込まれており、さらにその土台４には、孔６が設けられ、その孔６に転倒防止用の杭５を差し込むことにより、凹凸のある場所でも強固に固定できるから、倒れないようになっている。
【００１３】
簡易小便器を設置する場所は、工事現場や災害での避難所などであり、設置する場所によっては、小便受部２を回転させて、高さを調整すれば、大人から子供などまでが使用する事ができる。
【００１４】
小便受部２の外側の背面には、収納具掛け１９があるため、芳香剤やタンクのキャップなどを袋に入れて掛ける事ができる。
【図面の簡単な説明】
【００１５】
【図１】簡易小便器の側面図。
【図２】簡易小便器の正面図。
【図３】土台の上に設けている枠に排尿タンクを差し込んでいる斜視図。
【発明を実施するための形態】
【００１６】
以下、本発明の実施の形態を図１〜図３に基づいて説明する。
【００１７】
図１は、簡易小便器１の側面図を示す。この図において、簡易小便器１は、土台４と排尿タンク３と小便受部２の３体を組合せてできている。
【００１８】
図１の小便受部２の上部の天板には小便受部２を回転したり、小便受部２を持ち上げたりするための取手１０Ａを取付けている。すなわち、取手１０Ａを回転させることによって、小便受部２を回転して排尿タンク３に対する小便受部２の取り付け方向を変えることができる。したがって、簡易小便器１をどのような場所にでも設置することができる。
【００１９】
また、取手１０Ａを回転させることによって、小便受部２の高さを自在に調整することができ、身長の異なる人への高さ調整が可能である。さらに、小便受部２の高さを自在に調整することができるため、小便をする人の前面要所を外部から隠すことができる。
【００２０】
図１は簡易小便器１の右側面から見た図であって、小便受部２の下端部前側２３は排尿タンク３の前面側部２０より前に出ているため、尿が排尿タンク３の外側に掛からないように形成されている。
【００２１】
図２の小便受部２の開口部の外周には、臭気防止のためのパッキン１４と開閉ドアー７をロックするマグネット受金具９を取付けている。又開閉ドアー７の裏側には、マグネット８が付いている。
【００２２】
小便をすると、図２の小便受部２の中の底面にある小便流出口１１から開閉弁１２を通りネジ式排尿パイプ１３の中を流れて排尿タンク３に溜るようになっている。
【００２３】
小便受部２の前面開口部外周１４Aは、斜めに取り付けられた両開きの観音開き式開閉ドアー７が付けてある。この開閉ドアー７は、１１０度から１２０度の角度で停止して、小便をするとき、体の腰回りを隠す事ができるように形成されている。
【００２４】
図３は長方形の土台４と排尿タンク３を前側から見た外観斜視図で、排尿タンク３の上部の後ろ側の角の一部分が傾斜しており、その傾斜部分には、尿を排出する排出用ノズル１５が取り付けてある。又、タンク３の上部には、ネジ式排尿パイプ１３の差し込み口１６を設けている。その外に排尿タンク３の右左の側面には、手で提げることのできる取手１０Cが取り付けられている。
【００２５】
排出用ノズル１５は、取り外しても、取り付けたままでも使用する事ができるように成形されている、又ノズルの先には、キャップ１８がつけられている。
【００２６】
図３の排尿タンク３の下部には、土台４が設けられていて、その土台４は、長方形でその上に高さが約１００〜１５０ｍｍぐらいの枠２１を設け、その枠２１の中に排尿タンク３を差し込んで固定している。又、土台４の四方の角には、簡易小便器１を安定させるための転倒防止の孔６を設け、その孔６に杭５を差し込んで固定するようになっている。これで工事現場等の荒れた場所でも、倒れないようにしている。
【符号の説明】
【００２７】
１    簡易小便器
２    小便受部
３    排尿タンク
４    土台
５    転倒防止用の杭
６    孔
７    両開の開閉ドアー
８    マグネット
９    マグネット受金具
１０Ａ    取手
１０Ｂ    取手
１０Ｃ    取手
１１    小便流出口
１２    開閉弁
１３    ネジ式排尿パイプ
１４    パッキン
１４Ａ    小便受部の前面の外周
１５    排出用ノズル
１６    ネジ式排尿パイプ差し込み口
１７    蝶番
１８    キャップ
１９    収納具掛け
２０    排尿タンク前面の側部
２１    枠
２２    ドアーの取手
２３    小便受部底面の下端部前側
２４    小便受部の中
【図１】
2016202782.tif 000003
【図２】
2016202782.tif 000004
【図３】
2016202782.tif 000005
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
小便を受ける前面開放型の小便受部と、前記小便受部に排出された小便を留める排居タンクと、前記小便受部の底面に設けられ前記排尿タンクと連結する、前記排尿タンクの約半分の高さまで届くネジ式排尿パイプとを備え、前記排尿パイプは前記小便受部上部に設けられた取手を回すことにより、前記小便受部が前記排尿タンクに対して取付方向並びに取付高さが調整可能な、前記小便受部の底面との結合部から前記排尿タンク内に位置する下端部までのネジを有したことを特徴とする簡易小便器。
【請求項２】
前記排尿タンクの中の尿を排出しやすくするための着脱自在の排出用ノスルが前記排尿タンクに取り付けたままでも使用する事ができる事を特徴とする請求項１に記載の簡易小便器。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
小便を受ける前面開放型の小便受部と、前記小便受部に排出された小便を留める排尿タンクと、前記小便受部の底面に設けられ前記排尿タンクと連結する、前記排尿タンクの約半分の高さまで届くネジ式排尿パイプとを備え、前記排尿パイプは前記小便受部上部に設けられた取手を回すことにより、前記小便受部が前記排尿タンクに対して取付方向並びに取付高さが調整可能な、前記小便受部の底面との結合部から前記排尿タンク内に位置する下端部までのネジを有したことを特徴とする簡易小便器。
【請求項２】
前記排尿タンクの中の尿を排出しやすくするための着脱自在の排出用ノズルが前記排尿タンクに取り付けたままでも使用する事ができる事を特徴とする請求項１に記載の簡易小便器。